(57)【要約】  この内照式照明装置（１）は、複数の面状発光ユニット（１３０）と、複数の面状発光ユニット（１３０）の相互の間に隙間領域を有するように面状発光ユニット（１３０）を支持する支持部材と、複数の面状発光ユニット（１３０）と対向する位置に配置され、面状発光ユニット（１３０）から照射される光を受ける照明パネルと、隙間領域に配置され、面状発光ユニット（１３０）から照射された光を照明パネル側に反射する光学部材（５００）とを備え、面状発光ユニット（１３０）の支持部材への支持箇所は、隙間領域に設けられ、光学部材（５００）は、支持箇所を覆うようにして隙間領域に設けられている。
2014175235.tif 000002
【特許請求の範囲】
【請求項１】
複数の面状発光ユニットと、
複数の前記面状発光ユニットの相互の間に隙間領域を有するように前記面状発光ユニットを支持する支持部材と、
複数の前記面状発光ユニットと対向する位置に配置され、前記面状発光ユニットから照射される光を受ける照明パネルと、
前記隙間領域に配置され、前記面状発光ユニットから照射された光を照明パネル側に反射する光学部材と、を備え、
前記面状発光ユニットの前記支持部材への支持箇所は、前記隙間領域に設けられ、
前記光学部材は、前記支持箇所を覆うようにして前記隙間領域に設けられている、内照式照明装置。
【請求項２】
前記光学部材は、前記隙間領域に対して前記照明パネル側から着脱可能に支持されている、請求項１に記載の内照式照明装置。
【請求項３】
前記面状発光ユニットは、前記支持部材に対して前記照明パネル側から着脱可能に支持されている、請求項２に記載の内照式照明装置。
【発明の詳細な説明】
【技術分野】
【０００１】
本発明は、複数の面状発光パネルを用いた内照式照明装置の構造に関する。
【背景技術】
【０００２】
近年、有機ＥＬ（Organic  Electroluminescence）等を利用した面状発光の照明装置が提案されている。この照明装置を大型化しようとした場合、面状発光パネル（面状発光素子）を構成する基板を大型化することで対応できる。【０００３】
しかし、製造装置の大型化、製造における歩留まりの悪化等の問題が発生する。製造が容易な大きさの面状発光パネルを複数平面状に並べることによって、大型化の照明装置を得る技術が、特開２００５−２６６２８５号公報（特許文献１）に提案されている。【０００４】
面状発光パネルを複数並べた（タイリングした）照明装置等の場合には、設置場所の制約およびメンテナンスの容易さから、照明装置の前面から面状発光パネルの取り付けが可能である構成が望まれる。【０００５】
さらに、意匠上および建築上の理由から、照明装置の厚さを抑えたい場合があり、厚みを抑えることができる照明装置が、特開２０１２−１２４１５９号公報（特許文献２）に提案されている。【０００６】
しかしながら、特許文献１に開示される照明装置では、複数配置した面状発光パネルと面状発光パネルとの間の隙間領域に生じる非発光領域と面状発光パネルの発光領域との間で輝度差（輝度ムラ）が発生する。その結果、均一な面状発光を有する照明装置を提供することが困難となる。【０００７】
面状発光パネルと面状発光パネルとの間の隙間領域における非発光領域に反射材を配置して、発光領域と非発光領域との間の輝度差（輝度ムラ）を解消する構成が、特開２０１０−０３３８１８号公報に提案されている（特許文献３）。
【先行技術文献】
【特許文献】
【０００８】
【特許文献１】特開２００５−２６６２８５号公報
【特許文献２】特開２０１２−１２４１５９号公報
【特許文献３】特開２０１０−０３３８１８号公報
【発明の概要】
【発明が解決しようとする課題】
【０００９】
しかし、特許文献２に開示される構成では、照明装置の厚みを抑制することができても、面状発光パネルを保持する部材が発光パネルの背面側に位置しているため、照明装置の薄型化には制約があり十分な薄型化が困難である。【００１０】
さらに、面状発光パネルを複数配置した場合の面状発光パネルと面状発光パネルとの間の隙間領域（非発光部）の輝度低下について考慮されていない。その結果、照明装置全体として輝度差（輝度ムラ）が発生する。【００１１】
特許文献３に開示される構成では、反射材などの光学部材は、面状発光パネルに直接接着されている。光学部材を面状発光パネルに直接接着する構成の場合、面状発光パネルの故障などの時に面状発光パネル単体、または、面状発光パネルを複数枚個組み合わせた面状発光パネルモジュールの交換が難しい。【００１２】
この発明は上記課題に鑑みてなされたものであり、輝度ムラの発生を抑制しながら装置の薄型化を図ることを可能とする内照式照明装置を提供することを目的とする。
【課題を解決するための手段】
【００１３】
この発明に基づいた内照式照明装置においては、複数の面状発光ユニットと、複数の上記面状発光ユニットの相互の間に隙間領域を有するように上記面状発光ユニットを支持する支持部材と、複数の上記面状発光ユニットと対向する位置に配置され、上記面状発光ユニットから照射される光を受ける照明パネルと、上記隙間領域に配置され、上記面状発光ユニットから照射された光を照明パネル側に反射する光学部材と、を備える。【００１４】
上記面状発光ユニットの上記支持部材への支持箇所は、上記隙間領域に設けられ、上記光学部材は、上記支持箇所を覆うようにして上記隙間領域に設けられている。
【発明の効果】
【００１５】
この発明によれば、輝度ムラの発生を抑制しながら装置の薄型化を図ることを可能とする内照式照明装置を提供することを可能とする。
【図面の簡単な説明】
【００１６】
【図１】実施の形態における内照式照明装置の内部を示す正面図である。
【図２】図１中ＩＩ−ＩＩ線矢視断面図である。
【図３】実施の形態における内照式照明装置に用いられる面状発光パネルを示す平面図である。
【図４】図３中ＩＶ−ＩＶ線矢視断面図である。
【図５】実施の形態における内照式照明装置の面状発光モジュールの全体斜視図である。
【図６】実施の形態における内照式照明装置の第１光学部材を除く面状発光モジュールの正面図である。
【図７】実施の形態における内照式照明装置の面状発光モジュールに装着される第１光学部材の構造を示す全体斜視図である。
【図８】実施の形態における内照式照明装置の面状発光ユニットの斜視図である。
【図９】実施の形態における内照式照明装置の面状発光モジュールおよび第２光学部材を除く面状発光ユニットの正面図である。
【図１０】実施の形態における内照式照明装置の面状発光ユニットに装着される第２光学部材の構造を示す全体斜視図である。
【図１１】実施の形態における内照式照明装置の筺体の構造を示す正面図である。
【図１２】実施の形態における内照式照明装置の筺体に面状発光ユニットが取り付けられた状態を示す正面図である。
【図１３】図１１中のＸＩＩＩで囲まれた領域の部分拡大斜視図である。
【図１４】実施の形態における内照式照明装置に装着される光学部材の構造を示す全体斜視図である。
【図１５】他の実施の形態における内照式照明装置の光学部材を除く面状発光モジュールの正面図である。
【図１６】図１５中ＸＶＩ−ＸＶＩ線矢視断面図である。
【発明を実施するための形態】
【００１７】
本発明に基づいた各実施の形態における内照式照明装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１８】
（内照式照明装置１）
図１および図２を参照して、本実施の形態における内照式照明装置１について説明する。図１は、内照式照明装置１の内部を示す正面図、図２は、図１中ＩＩ−ＩＩ線矢視断面図である。
【００１９】
本実施の形態における内照式照明装置１は、発光面側に照明パネル６０を有し、後述の面状発光ユニット１３０から照射される光が照明パネル６０の内面から外面に向けて照射される。図１では、内照式照明装置１の内部に収容される。４枚の面状発光ユニット１３０の正面図のみを図示している。
【００２０】
一つの面状発光ユニット１３０は、図１中のＡ−Ａで仕切られる領域からなり、本実施の形態では、４枚の面状発光ユニット１３０を、２行×２列の状態で組み合わせて内照式照明装置１を構成している。
【００２１】
隣接する面状発光ユニット１３０の間（隙間領域）には、面状発光モジュール１００から照射された光を照明パネル６０側に反射する第３光学部材５００（合計４か所）が設けられている。面状発光ユニット１３０の構成、第３光学部材５００の構成の詳細については後述する。
【００２２】
１つの面状発光ユニット１３０（例えば左上の面状発光ユニット）は、図１中のＢ−Ｂで仕切られる面状発光モジュール１００を２行×２列の状態で組み合わせて構成されており、各面状発光モジュール１００は、面状発光パネル１０を２行×２列の状態で組み合わせて構成されている。隣接する面状発光モジュール１００の間（隙間領域）には、面状発光モジュール１００から照射された光を照明パネル６０側に反射する第２光学部材３００（合計１６か所）が設けられており、隣接する面状発光パネル１０の間（隙間領域）には、面状発光パネル１０から照射された光を照明パネル６０側に反射する第１光学部材２００（合計６４か所）が設けられている。面状発光モジュール１００及び面状発光パネル１０の構成、第２光学部材５００及び第１光学部材３００の構成の詳細についても後述する。
【００２３】
図２を参照して、内照式照明装置１の内部構造の概略について説明する。本実施の形態の内照式照明装置１は、上述したように、４枚の面状発光ユニット１３０を２行×２列の組み合わせて構成されている。さらに面状発光ユニット１３０は、４枚の面状発光モジュール１００を、２行×２列の状態で組み合わせている。さらに、面状発光モジュール１００は、４枚の面状発光パネル１０を、２行×２列の状態で組み合わせている。
【００２４】
内照式照明装置１の最も表面側には、照明パネル６０が位置している。この照明パネル６０は、支持部材の一例としての筺体６００（図１１参照）に支持されている。筺体６００は図示しない壁面等に固定される。照明パネル６０は、光透過性を有する材料で構成され、一般的にはアクリル樹脂等が用いられる。照明パネル６０は、輝度ムラの発生を抑制するため、光散乱効果を有する部材を用いるとよい。
【００２５】
面状発光パネル１０は、面状発光モジュール１００を構成するモジュールパネル５４に対して、両面テープ１２０等を用いて固定されている（図５参照）。面状発光モジュール１００は、面状発光ユニット１３０を構成するユニットパネル７０に対して取り付けられている（図８参照）。この取付構造については後述する。
【００２６】
面状発光パネル１０と隣接する面状発光パネル１０との間に生じる隙間領域５４ｓには、第１光学部材２００が、モジュールパネル５４に対して取り付けられている。発光モジュール１００と隣接する発光モジュール１００との間に生じるユニットパネル７０の隙間領域７０ｓには、第２光学部材３００が、ユニットパネル７０に対して取り付けられている。
【００２７】
第１光学部材２００および第２光学部材３００は、いずれも断面形状が照明パネル６０側に頂部が位置する略台形形状を有し、面状発光パネル１０から照射された光を照明パネル６０側に反射する。これにより、照明パネル６０を表面側から観察した場合の輝度ムラの発生を抑制する。
【００２８】
（面状発光パネル１０）
図３および図４を参照して、本実施の形態における面状発光パネル１０の構成について説明する。本実施の形態における面状発光パネル１０は、有機ＥＬから構成される。面状発光パネル１０は、複数の発光ダイオード（ＬＥＤ）と拡散板とから面状の面状発光パネルとして構成されていてもよいし、冷陰極管等を用いて面状の面状発光パネルとして構成されていてもよい。
【００２９】
図３は、面状発光パネル１０を示す平面図である。図３は、面状発光パネル１０の背面１９の側から面状発光パネル１０を見たときの様子を示している。図４は、図３中のＩＶ−ＩＶ線に沿った矢視断面図である。
【００３０】
図３および図４を参照して、面状発光パネル１０は、透明基板１１（カバー層）、陽極１４、有機層１５、陰極１６、封止部材１７および絶縁層１８を含む。透明基板１１は、面状発光パネル１０の表面１２（発光面）を形成し、透明基板１１の外周端面は、面状発光パネル１０の外周１０Ｅを形成している。陽極１４、有機層１５および陰極１６は、透明基板１１の裏面１３上に順次積層される。封止部材１７は、面状発光パネル１０の背面１９を形成している。
【００３１】
透明基板１１は、たとえば各種のガラス基板から構成される。透明基板１１を構成する部材としては、ＰＥＴ（Polyethylene  Terephthalate）またはポリカーボネイト等のフィルム基板が用いられてもよい。陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。フォトリソグラフィ法等によりＩＴＯ膜が所定の形状にパターニングされることによって、陽極１４が形成される。陽極１４は、電極取出部２１（陽極用）および電極取出部２２（陰極用）を形成するために、パターニングによって２つの領域に分割されている。
【００３２】
有機層１５（発光部）は、電力を供給されることによって光（可視光）を生成することができる。有機層１５は、単層の発光層から構成されていてもよく、正孔輸送層、発光層、正孔阻止層、および電子輸送層などが順次積層されることによって構成されていてもよい。陰極１６は、たとえばアルミニウム（ＡＬ）である。陰極１６は、真空蒸着法等によって有機層１５を覆うように形成される。陰極１６を所定の形状にパターニングするために、真空蒸着の際にはマスクが用いられるとよい。
【００３３】
陰極１６と陽極１４とが短絡しないように、陰極１６と電極取出部２１側の陽極１４との間に絶縁層１８が設けられる。陰極１６の絶縁層１８が設けられる側とは反対側の部分は、電極取出部２２側の陽極１４に接続される。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００３４】
封止部材１７は、絶縁性を有する樹脂またはガラス基板などから構成される。封止部材１７は、有機層１５を水分等から保護するために形成される。封止部材１７は、陽極１４、有機層１５、および陰極１６（すなわち、面状発光パネル１０の内部に設けられる部材）の略全体を透明基板１１上に封止する。陽極１４の一部は、電気的な接続のために、封止部材１７から露出している。
【００３５】
陽極１４の封止部材１７から露出している（図４左側の）部分は、電極取出部２１（陽極用）を構成する。電極取出部２１と陽極１４とは互いに同じ材料で構成される。電極取出部２１は、面状発光パネル１０の外周に位置する。陰極１６の封止部材１７から露出している（図４右側の）部分は、電極取出部２２（陰極用）を構成する。電極取出部２２と陽極１４とは互いに同じ材料で構成される。電極取出部２２も、面状発光パネル１０の外周に位置する。
【００３６】
電極取出部２１および電極取出部２２は、有機層１５を挟んで相互に反対側に位置している。隣り合う電極取出部２１および電極取出部２２同士の間には、分割領域２０（図３参照）が形成されている。電極取出部２１および電極取出部２２には、はんだ付け（銀ペースト）等を用いて配線パターン（図示せず）が取り付けられる。
【００３７】
以上のように構成される面状発光パネル１０の表面１２が発光領域となる。面状発光パネル１０の有機層１５には、外部の電源装置から、図示しない配線パターン、電極取出部２１，２２、陽極１４および陰極１６を通して電力が供給される。有機層１５で生成された光は、陽極１４および透明基板１１を通して、表面１２（発光面）から外部に取り出される。
【００３８】
透明基板１１には透明なガラスのほか、光透過性のフィルム、たとえば、ポリイミド、ポリエチレンナフタレート（ＰＥＮ）、ポリエチレンテレフタレート（ＰＥＴ）、ポリスチレン（ＰＳ）、ポリエーテルサルフォン（ＰＥＳ）、ポリカーボネート（ＰＣ）、ポリプロピレン（ＰＰ）等が用いられる。
【００３９】
陽極（アノード）１４には光透過性の材料、たとえば、インジウムチタンオキサイド（ＩＴＯ）またはポリエチレンジオキシチオフェン（ＰＥＤＯＴ）が用いられる。陰極（カソード）１６には、たとえば、アルミニウム（Ａｌ）、フッ化リチウム（ＬｉＦ）、ＡｌとＣａとの積層、ＡｌとＬｉＦとの積層、および、ＡｌとＢａとの積層等が用いられる。
【００４０】
封止部材１７には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。電極取出部２１および電極取出部２２には、さらに金、銀、銅などを積層してもよい。
【００４１】
（面状発光モジュール１００）
図５から図７を参照して、面状発光モジュール１００について説明する。図５は、面状発光モジュール１００の全体斜視図、図６は、内照式照明装置１の第１光学部材２００を除く面状発光モジュール１００の正面図、図７は、第１光学部材２００の構造を示す全体斜視図である。
【００４２】
図５および図６を参照して、面状発光モジュール１００は、モジュールパネル５４の上に、２行×２列に合計４枚の面状発光パネル１０が両面テープ１２０を用いて固定されている。本実施の形態では、面状発光パネル１０は、１００ｍｍ×１００ｍｍの正方形の大きさを有している。
【００４３】
上下左右に隣接する面状発光パネル１０と隙間領域５４ｓの間隔は、１６ｍｍである。面状発光モジュール１００の大きさ、隙間領域５４ｓの間隔は、内照式照明装置１の仕様に応じて任意の寸法が選択される。
【００４４】
モジュールパネル５４の隙間領域５４ｓには、平面視において十字形状の第１光学部材２００が取り付けられている。
【００４５】
図６を参照して、モジュールパネル５４の隙間領域５４Ｓには、面状発光モジュール１００を後述する面状発光ユニット１３０に固定する際に用いられる、位置決め用穴５４ａ，５４ｂ，５４ｃ，５４ｄ、および固定用穴５４ｅ，５４ｆ，５４ｇ，５４ｈが設けられている。位置決め用穴５４ａ，５４ｂについては、部品の製造誤差を吸収するのを容易にするために長孔が形成されている。
【００４６】
さらに、モジュールパネル５４の隙間領域５４ｓには、第１光学部材２００を取り付ける際に用いられる、位置決め用ピン５４ｉ，５４ｋ，５４ｍ，５４ｐが立設され、固定用穴５４ｊ，５４ｌ，５４ｎ，５４ｑが設けられ、固定用穴５４ｊ，５４ｌ，５４ｎ，５４ｑには雌ねじが形成されている。これにより、第１光学部材２００を発光面側から面状発光モジュール１００に対して取付可能とする。
【００４７】
（第１光学部材２００）
図７を参照して、第１光学部材２００について説明する。図７は、第１光学部材２００の構造を示す全体斜視図である。第１光学部材２００は、平面視において十字形状のベース部材２０１を有する。ベース部材２０１の４つの端部には、モジュールパネル５４に設けられた位置決め用ピン５４ｉ，５４ｋ，５４ｍ，５４ｐの夫々、および固定用穴５４ｊ，５４ｌ，５４ｎ，５４ｑの夫々、に対応する位置に、位置決め用穴２０１ａ、固定用穴２０１ｂが形成されている。位置決め用穴２０１ａには、モジュールパネル５４に設けられた位置決め用ピン５４ｉ，５４ｋ，５４ｍ，５４ｐが嵌合され、第１光学部材２００の位置決めを行なうことができる。位置決めをした後、固定用穴２０１ｂを用いて、発光面側からボルトを用いて、ベース部材２０１をモジュールパネル５４の隙間領域５４ｓに発光面側から固定することができる。
【００４８】
第１光学部材２００は、断面形状が照明パネル６０側に頂部が位置する略台形形状を有する反射部材２１０を有する。反射部材２１０には、ビス穴２１０ａが設けられている。ベース部材２０１には、反射部材２１０を支持する立壁部２０２が設けられ、この立壁部２０２には、反射部材２１０のビス穴２１０ａに対応する位置に固定用雌ねじ穴２０２ａが設けられている。ベース部材２０１をモジュールパネル５４に固定した後、ビス２３０を用いて、反射部材２１０をベース部材２０１に発光面側から固定することができる。
【００４９】
第１光学部材２００の斜面の傾斜角度（反射面同士の間に形成される内角）は、たとえば４５°である。この頂角の値は、３０°〜９０°の間で適宜変更してもよい。
【００５０】
第１光学部材２００を用いることで、非発光部（隙間領域５４Ｓ）の輝度低下を抑え均一な発光を実現する。さらに、第１光学部材２００を隙間領域５４Ｓに配置することで、面状発光パネル１０の隙間領域を広く配置しても均一な発光が可能となるので、照明装置に使用する面状発光パネル１０の枚数を抑制することができる。その結果、照明装置のコストを抑えることができる。また、第１光学部材２００のベース部材の固定用穴２０１ｂを用いて第１光学部材２００を隙間領域５４ｓに固定するため、固定箇所が反射部材２１０で覆われ、発光面側から見えることはない。また面状発光パネル１０から照射された光が第１光学部材２００を固定するための部材によって遮られることがないように配置することが望ましい。
【００５１】
（面状発光ユニット１３０）
図８から図１０を参照して、面状発光ユニット１３０について説明する。図８は、面状発光ユニット１３０の斜視図、図９は、面状発光モジュール１００および第２光学部材３００を除く面状発光ユニット１３０の正面図、図１０は、第２光学部材３００の構造を示す全体斜視図である。
【００５２】
図８および図９を参照して、面状発光ユニット１３０は、ユニットパネル７０の上に、２行×２列に合計４枚の面状発光モジュール１００が支持されている。図９において、４枚の面状発光モジュール１００が夫々取り付けられる領域には、４枚の面状発光パネルの夫々が配置される領域と、発光パネル間の隙間領域７０ｓが分かるように図示されている。ユニットパネル７０の４か所の隙間領域７０ｓには、４つの第２光学部材３００が取り付けられる。本実施の形態においては、７０ｓの間隔は、発光パネル１００同士の隙間領域５４ｓと同じ１６ｍｍに設定されている。
【００５３】
図９を参照して、ユニットパネル７０に対して４枚の面状発光モジュール１００夫々が取り付けられる領域には、モジュールパネル５４の固定用穴５４ｅ，５４ｆ，５４ｇ，５４ｈ（図６参照）に対応する位置に、固定用雌ねじ穴（タップ穴）７１，７２，７３，７４が設けられている。モジュールパネル５４の位置決め用穴５４ａ，５４ｂ，５４ｃ，５４ｄ（図６参照）に対応する位置には、位置決め用ピン７１ｐ，７２ｐ，７３ｐ，７４ｐが立設されている。
【００５４】
ユニットパネル７０の４か所の隙間領域７０ｓには、それぞれ第２光学部材３００を取り付けるための固定用雌ねじ穴（タップ穴）８１，８２が設けられている。さらに、隙間領域７０ｓには、第２光学部材３００を取り付ける際に位置決めを行なうための位置決め用ピン８３，８４が立設されている。
【００５５】
ユニットパネル７０の外縁部の右側辺部および左側辺部にはそれぞれ、上側に係合軸７５が設けられ、各面状発光モジュール１００が設けられる領域の、各面状発光モジュール１００の中央領域に対応する２か所の位置（右側辺部に２か所、左側辺部に２か所）に、それぞれ第３光学部材５００を取り付けるための側部ブラケット７６が設けられている。側部ブラケット７６には、それぞれだるま穴７６ａおよび固定用穴７６ｂが形成されている。なお、右側辺部の側部ブラケット７６と左側辺部の側部ブラケット７６とでは、だるま穴７６ａのある部分の位置が固定用穴７６ｂに対して上下反対になっており、２枚の面状発光ユニット１３０を横に並べた場合に、右側辺部の側部ブラケット７６と左側辺部の側部ブラケット７６のだるま穴７６ａのある位置がずれるようになっている。
【００５６】
ユニットパネル７０の外縁部の下側辺部には、面状発光モジュール１００が設けられる領域の、各面状発光モジュール１００の中央領域に対応する２か所の位置に、それぞれ第３光学部材５００を取り付けるための下部ブラケット７７が設けられている。下部ブラケット７７には、それぞれだるま穴７７ａが形成されている。
【００５７】
（第２光学部材３００）
図１０を参照して、第２光学部材３００について説明する。図１０は、第２光学部材３００の構造を示す全体斜視図である。第２光学部材３００は、平面視において略一文字形状の反射面３０１を有する。
【００５８】
第２光学部材３００には、ユニットパネル７０に設けられた固定用雌ねじ穴（タップ穴）８１，８２および位置決め用ピン８３，８４に対応する位置に、夫々、固定用穴３０５ａ，３０５ｂが形成されてたブラケット３０５が設けられている。この固定用穴３０５ａを用いて、発光面側からボルトを用いて、第２光学部材３００をユニットパネル７０の隙間領域７０ｓに固定することができる。位置決め用穴３０５ｂにはユニットパネル７０に設けられた位置決め用ピン８３，８４が篏合され、第２光学部材３００の位置決めを行なうことができる。なお、ブラケット３０５は、第２光学部材３００のベース部材（図示せず）の板の一部分を切り出して曲げることで形成すればよい。
【００５９】
第２光学部材３００は、断面形状が照明パネル６０側に頂部が位置する略台形形状を有する反射面３０１を有する。反射面３０１の斜面の傾斜角度（反射面同士の間に形成される内角）は、たとえば４５°である。この頂角の値は、３０°〜９０°の間で適宜変更してもよい。本実施の形態においては、第１光学部材２００と第２光学部材３００との反射面の傾斜角度は同じに設けられる。
【００６０】
第２光学部材３００の一方端部には、ユニットパネル７０の中央部で他の第２光学部材３００と当接する傾斜辺３０２が設けられている。第２光学部材３００の中央部には、第１光学部材２００の端部と当接する連結部３０４が設けられている。第２光学部材３００の他方端部は、ユニットパネル７０の外縁側に位置する垂直辺３０３が設けられている。
【００６１】
第２光学部材３００を用いることで、第１光学部材と同様に、非発光部（隙間領域７０Ｓ）の輝度低下を抑え均一な発光を実現する。さらに、第２光学部材３００を隙間領域７０ｓに配置することで、面状発光モジュール１００の隙間領域を広く配置しても均一な発光が可能となるので、照明装置に使用する面状発光モジュール１００の枚数を抑制することができる。その結果、照明装置のコストを抑えることができる。また、第２光学部材３００を固定するためのブラケット３０５及びユニットパネル７０の隙間領域の位置決め用ピン８３，８３や固定用雌ねじ穴８１，８２が第２光学部材の反射面３０１によって覆われるため、固定箇所が発光面側から見えることはない。また面状発光モジュール１００から照射された光が第２光学部材３００を固定するための部材によって遮られることがない。
【００６２】
（面状発光ユニット１３０の組み立て）
最初に、面状発光パネル１０が取り付けられたモジュールパネル５４をユニットパネル７０に取り付ける。モジュールパネル５４のユニットパネル７０への取り付けにおいては、ユニットパネル７０に設けられた位置決め用ピン７１ｐ，７２ｐ，７３ｐ，７４ｐにモジュールパネル５４の位置決め用穴５４ａ，５４ｂ，５４ｃ，５４ｄを挿通させてモジュールパネル５４の位置決めを行なう。
【００６３】
次に、発光面側からモジュールパネル５４の固定用穴５４ｅ，５４ｆ，５４ｇ，５４ｈにボルトを挿通して、ユニットパネル７０の固定用雌ねじ穴（タップ穴）７１，７２，７３，７４を用いてボルトを螺合させる。これにより、モジュールパネル５４のユニットパネル７０への固定が完了する。
【００６４】
次に、モジュールパネル５４に対して、発光面側から第１光学部材２００の取付を行なう。モジュールパネル５４に対する第１光学部材２００の取付において、モジュールパネル５４に設けられた位置決め用ピン５４ｉ，５４ｋ，５４ｍ，５４ｐに第１光学部材のベース部材２０１の位置決め用穴２０１ａを挿通させて第１光学部材２００の位置決めを行う。次に、第１光学部材２００のベース部材２０１に設けられた固定用穴２０１ａにボルトを挿通して、モジュールパネル５４の固定用穴５４ｉ，５４ｌ，５４ｎ，５４ｐを用いてボルトを螺合させる。これにより、第１光学部材２００がモジュールパネル５４の隙間領域５４ｓに取り付られ、面状発光モジュール１００が完成する。
【００６５】
面状発光モジュール１００が完成した後、ユニットパネル７０に対して、発光面側から第２光学部材３００の取付を行なう。ユニットパネル７０に対する第２光学部材３００の取付において、第２光学部材を、傾斜辺３０２が他の第２光学部材３００と当接し、垂直辺３０３がユニットパネル７０の外縁側に来るように配置を決める。次に、第２光学部材３００のブラケット３０５の位置決め用穴３０５ｂにユニットパネル７０に設けられた位置決め用ピン８３，８４を篏合して第２光学部材３００の位置決めを行ない、ブラケット３０５の固定用穴３０５ａに発光面側からボルトを挿通させて、第２光学部材３００をユニットパネル７０の隙間領域７０ｓに固定する。これにより、第２光学部材３００がユニットパネル７０の隙間領域７０ｓに取り付けられ、面状発光ユニット１３０が完成する。
【００６６】
（筺体６００）
次に、図１１から図１３を参照して、上記により完成した面状発光ユニット１３０を２行２列の状態で保持する筺体６００について説明する。図１１は、筺体６００の構造を示す正面図、図１２は、筺体６００に面状発光ユニット１３０が取り付けられた状態を示す正面図、図１３は、図１１中のＸＩＩＩで囲まれた領域の部分拡大斜視図である。
【００６７】
筺体６００はフレーム枠６０１を有し、このフレーム枠６０１には上下方向に延びる桟６０２が３ヶ所設けられている。本実施の形態では、フレーム枠６０１および桟６０２には、強度および全体質量の観点からアルミ材が用いられるが、他の材料を用いてもよい。
【００６８】
桟６０２の夫々には、上端部および中段部に、ぞれぞれ係合フック６０３が設けられている。係合フック６０３の下方にはそれぞれ、固定用ベース６０４が設けられている。この固定用ベース６０４には、固定用雌ねじ穴６０４ａが設けられている。
【００６９】
図１３の拡大図からわかるように、桟６０２に係合フック６０３が設けられており、係合フックの突出部に面状発光ユニット１３０の係合軸７５が引っ掛けられることにより、面状発光ユニット１３０が吊り下げられる。ここでは、係合フック６０３の突出部の片側半分に面状発光ユニット１３０が吊り下げられた状態を示しているが、突出部のもう片側半分にも同様に、面状発光ユニット１３９を吊り下げることができる。
【００７０】
このとき、図１２に示すように、隣接する面状発光ユニット１３０の間に隙間領域６１０ｓが設けられるように係合フック６０３及び係合軸７５は係合し、隙間領域６１０ｓに第３光学部材５００（合計４か所）が配置される。本実施の形態において、この隙間領域６１０ｓの幅は、面発光モジュールにおける隙間領域５４ｓ、面状発光ユニット１３０における隙間領域７０ｓと同じ幅となるよう、設定されている。図１２は面状発光ユニット１３０が２行×２列で筐体６００に取り付けられた状態を示している。
【００７１】
（第３光学部材５００）
図１４を参照して、第３光学部材５００について説明する。図１４は、第３光学部材５００の構造を示す全体斜視図である。第３光学部材５００は、平面視において略一文字形状の反射面５０１を有する。
【００７２】
反射面５０１には、ユニットパネル７０の側部ブラケット７６に設けられただるま穴７６ａ、または、下部ブラケット７７に設けられただるま穴７７ａに対応する位置に、溝付きピン５１０が設けられている。発光面側から溝付きピン５１０をだるま穴７６ａ，７７ａに挿通し、だるま穴７６ａ，７７ａの小径部分を溝付きピン５１０の溝部にスライドさせることで、第３光学部材５００を容易に側部ブラケット７６および下部ブラケット７７に固定することができる。このようにして、隣接する面状発光ユニットの隙間領域６１０ｓに第３光学部材（面状発光ユニット１３０が２行×２列の４枚の場合、合計４か所）が配置される。
【００７３】
第３光学部材５００は、断面形状が照明パネル６０側に頂部が位置する略台形形状をする反射面５０１を有する。反射面５０１の斜面の傾斜角度（反射面同士の間に形成される内角）は、たとえば４５°である。この頂角の値は、３０°〜９０°の間で適宜変更してもよい。本実施の形態においては、第１光学部材２００、第２光学部材３００および第３光学部材５００の反射面の傾斜角度は同じに設けられる。
【００７４】
第３光学部材５００には、３ヶ所に面状発光ユニット１３０の他の光学部材（第１光学部材２００または第２光学部材３００）の端部と当接する連結部５０２が設けられている。
【００７５】
第３光学部材５００を用いることで、第１、２光学部材と同様に、非発光部（面状発光ユニット１３０間の隙間領域）の輝度低下を抑え均一な発光を実現する。さらに、第３光学部材５００を隙間領域に配置することで、面状発光ユニット１３０の隙間領域を広く配置しても均一な発光が可能となるので、照明装置に使用する面状発光ユニット１３０の枚数を抑制することができる。その結果、照明装置のコストを抑えることができる。また、第３光学部材５００を固定するための溝付きピン５１０とユニットパネル７０の側部ブラケット７６が第３光学部材５００の反射面３０１によって覆われるため、固定箇所が発光面側から見えることはない。また面状発光モジュール１００から照射された光がこれらの固定部材によって遮られることがない。
【００７６】
（内照式照明装置１の組み立て）
内照式照明装置１の組み立てにおいては、完成した面状発光ユニット１３０を４枚準備し、面状発光ユニット１３０の係合軸７５を、筺体６００の桟６０２の係合フック６０３に係合させる。これにより、面状発光ユニット１３０は、係合軸７５を回転軸として、係合フック６０３に吊り下げられた状態となる。
【００７７】
次に、面状発光ユニット１３０に設けられた側部ブラケット７６の固定用穴７６ｂにボルトを発光面側から挿通し、桟６０２の固定用ベース６０４に設けられた固定用雌ねじ穴６０４ａにボルトを螺合させる。これにより、面状発光ユニット１３０の筺体６００への固定が完了する。
【００７８】
次に、発光面側から、第３光学部材５００の溝付きピン５１０を、ユニットパネル７０の側部ブラケット７６に設けられただるま穴７６ａ、または、下部ブラケット７７に設けられただるま穴７７ａに挿通し、第３光学部材５００をだるま穴７６ａの小径方向にスライドさせる。これにより、溝付きピン５１０の溝部にだるま穴７６ａ，７７ａの小径部分が係合する。これにより、第３光学部材５００が、面状発光ユニット１３０の側部ブラケット７６および下部ブラケット７７に固定される。その後、筺体６００の発光面側に、照明パネル６０を固定する。
【００７９】
このように本実施の形態における内照式照明装置１においては、複数の面状発光パネル１０、および複数の面状発光パネル１０の相互の間に隙間領域５４ｓを有するように面状発光パネル１０を支持するモジュールパネル５４を有する面状発光モジュール１００と、複数の面状発光モジュール１００の相互の間に隙間領域７０ｓを有するように面状発光モジュール１００を支持するユニットパネル７０を有する面状発光ユニット１３０と、複数の面状発光ユニット１３０の相互の間に隙間領域６１０ｓを有するように面状発光ユニット１３０を支持する筺体６００と、この筺体６００に支持され、面状発光モジュール１００から照射される光が内面から外面に向けて照射される照明パネル６０と、隙間領域５４ｓに配置され、面状発光パネル１０から照射された光を照明パネル６０側に反射する第１光学部材１００と、隙間領域７０ｓに配置され、面状発光モジュール１００から照射された光を照明パネル６０側に反射する第２光学部材３００と、隙間領域６１０ｓに配置され、面状発光ユニット５００から照射された光を照明パネル６０側に反射する第３光学部材５００とを備えている。
【００８０】
面状発光ユニット１３０の筐体６００への支持箇所（図９の係合軸７５、固定用穴７６ｂ）は、隙間領域６１０ｓに設けられている。また、第３光学部材５００の面状発光ユニット１３０の側部ブラケット７６または下部ブラケット７７への支持箇所（だるま穴７６ａ，７７ａ）も隙間領域６１０ｓに設けられている。したがって、第３光学部材５００を取り付けることにより、隙間領域６１ｓにある、面発光ユニット１３０の筐体への支持箇所及び第３光学部材の側部ブラケット７６または下部ブラケット７７への支持箇所が覆われる。その結果、面状発光モジュールから照射された光は、以上の支持箇所によって遮られることなく、第３光学ユニットの反射面によって反射され、輝度ムラの発生を抑制することができる。また、面状発光ユニット１３０を筐体へ取り付けるための部材が面状発光ユニット１３０の背面側に位置していないため、照明装置の薄型化を図ることができる。  
【００８１】
さらに、第３光学部材５００を、面状発光ユニット１３０の溝付きピン５１０を側部ブラケット７６または下部ブラケット７７のだるま穴７６ａ，７７ａへ差し込みスライドするだけで固定できる。また、面状発光ユニット１３０の筐体６００への取付も、発光面側から係合軸７５を係合フック６０３へ係合させ、また側部ブラケット７６の固定用穴７６ｂを用いて固定することにより、行なわれる。このように、照明パネル側から第３光学部材５００及び面状発光ユニットの着脱が容易であり、第３光学部材５００又は面状発光ユニット１３０のいずれかが故障または消耗した場合、照明パネル側から容易に交換することが可能である。
【００８２】
以上のように、本実施の形態による複数の面状発光ユニット１３０を用いた内照式照明装置１において、輝度ムラの発生を抑制しながら装置の薄型化を図ることを可能とする内照式照明装置１を提供することを可能としている。これにより、内照式照明装置１のデザイン性、機能性を向上させることも可能になる。
【００８３】
さらに、第３光学部材５００は、面状発光ユニット１３０に対して照明パネル６０側から着脱可能に支持されている。面状発光ユニット１３０も、筐体６００に対して照明パネル６０側から着脱可能に支持されている。また、第２光学部材３００、第１光学部材２００も、照明パネル６０側から着脱が可能である。これにより、面状発光ユニット１３０及び光学部材５００、３００、２００の交換作業、および、メンテナンス作業を容易（工数の低減）とする内照式照明装置１を提供することを可能としている。
【００８４】
たとえば、トンネル内の誘導灯、ビルの壁面に用いる内照式照明装置、広告用表示装置の場合、後方からの取り付けが難しいため、前面から着脱できる構造が重要になる。
【００８５】
（他の実施の形態）
図１５および図１６を参照して、他の実施の形態における面状発光モジュール１００Ａについて説明する。図１５は、他の実施の形態における第１光学部材を除く面状発光モジュール１００Ａの正面図、図１６は、図１５中ＸＶＩ−ＸＶＩ線矢視断面図である。
【００８６】
この面状発光モジュール１００Ａにおいては、実施の形態１におけるモジュールパネル５４に設けられた固定用穴５４ｅ，５４ｆ，５４ｇ，５４ｈに代わり、磁石５４１ｅ，５４１ｆ，５４１ｇ，５４１ｈが、モジュールパネル５４にあらかじめ埋め込まれている。磁石５４１ｅ，５４１ｆ，５４１ｇ，５４１ｈの埋め込み位置は、面状発光パネル１０の間の隙間領域５４Ｓに埋め込むことで、面状発光モジュール１００の厚さが大きくなることはない。
【００８７】
このように、モジュールパネル５４のユニットパネル７０への固定位置にあらかじめ磁石を配置しておくことで、発光面側から容易にモジュールパネル５４をユニットパネル７０に固定することができる。
【００８８】
上記各実施の形態において、固定用雌ねじ穴を用いた箇所については、固定用雌ねじ穴に代わりボルトを立設し、ナットで固定するようにしてもよい。図１５および図１６に示したように、ねじを用いて固定する箇所に磁石を配置して磁力に基いて固定する構造を採用することによっても、発光面側から各部品の取り付け、および、交換作業を行なうことができる。
【００８９】
上記実施の形態では、面状発光の最小単位を面状発光パネル１０とし（図３参照）、次に面状発光パネル１０を４枚組み合わせた構成を面状発光モジュール１００（面状発光パネル１０は４枚）とし、次に、面状発光モジュール１００を４枚組み合わせた構成を面状発光ユニット１３０（面状発光パネル１０は１６枚）とし、さらに、面状発光ユニット１３０を４枚組み合わせた構成を内照式照明装置（面状発光パネル１０は６４枚）と定義しているが、以下のように定義することも可能である。
【００９０】
たとえば、最小単位の面状発光パネル１０を面状発光モジュール（面状発光パネル１０は１枚）と定義した場合には、この面状発光モジュールを４枚組み合わせた構成が、面状発光ユニットとなり（面状発光パネル１０は４枚）、この面状発光ユニットを４枚組み合わせた構成が、内照式照明装置（面状発光パネル１０は１６枚）となる。
【００９１】
面状発光ユニット１３０を、面状発光モジュール（面状発光パネル１０は１６枚）と定義した場合には、この面状発光モジュールを４枚組み合わせた構成が、面状発光ユニットとなり（面状発光パネル１０は６４枚）、この面状発光ユニットを４枚組み合わせた構成が、内照式照明装置（面状発光パネル１０は２５６枚）となる。
【００９２】
上記実施の形態では、面状発光モジュール１００を４枚組み合わせた構成を面状発光ユニット１３０とし、この面状発光ユニット１３０を支持部材としての筺体６００に支持する構成を採用しているがこの構成に限定されない。複数の面状発光モジュール１００を、ユニットパネル７０を用いずに支持部材としての筺体６００に直接支持される構成の採用も可能である。ユニットパネル７０を支持部材として用い、筺体６００を用いない構成の採用も可能である。
【００９３】
光源として、有機ＥＬパネルに限定されず、平面状の面状発光パネル（光源）を使用することも可能であり、一般的に多く出回っている平面状のリジッドパネル、フレキシブルパネル、複数の面状発光パネルを平面状にモジュール化した発光パネル、または、一般的なフレキシブルパネルにも適用が可能であり、用途に合わせて入手性の良い光源を選択して使用することが可能となる。
【００９４】
以上、本発明の各実施の形態における内照式照明装置について説明したが、今回開示された実施の形態は全ての点で例示であって制限的なものではないと考えられるべきである。したがって、本発明の範囲は請求の範囲によって示され、請求の範囲と均等の意味および範囲内での全ての変更が含まれることが意図される。
【符号の説明】
【００９５】
１  内照式照明装置、１０  面状発光パネル、１１  透明基板、１３  裏面、１４  陽極、１５  有機層、１６  陰極、１７  封止部材、１８  絶縁層、１９  背面、２０  分割領域、２１，２２，  電極取出部、５４  モジュールパネル、５４Ｓ，７０Ｓ，  隙間領域、５４ａ，５４ｂ，５４ｃ，５４ｄ  位置決め用穴、５４ｉ，５４ｋ，５４ｍ，５４ｐ，８３，８４  位置決め用ピン、５４ｅ，５４ｆ，５４ｇ，５４ｈ，５４ｊ，５４ｌ，５４ｎ，５４ｑ，７６ｂ，２０１ａ，２０１ｂ，３０５ａ，３０５ｂ  固定用穴、６０  照明パネル、７０  ユニットパネル、７１ｐ，７２ｐ，７３ｐ，７４ｐ  位置決め用ピン、７５  係合軸、７６  側部ブラケット、７６ａ，７７ａ，  だるま穴、７７  下部ブラケット、１００，１００Ａ  面状発光モジュール、１２０  両面テープ、１３０  面状発光ユニット、２００  第１光学部材、２０１  ベース部材、２０２  立壁部、２０２ａ，６０４ａ  固定用雌ねじ穴、２１０  反射部材、２１０ａ  ビス穴、２３０  ビス、３００  第２光学部材、３０１，５０１  反射面、３０２  傾斜辺、３０３  垂直辺、３０４，５０２  連結部、３０５  ブラケット、５００  第３光学部材、５１０  溝付きピン、５４１ｅ，５４１ｆ，５４１ｇ，５４１ｈ  磁石、６００  筺体、６０１  フレーム枠、６０２  桟、６０３  係合フック、６０４  固定用ベース、６１０ｓ  隙間領域。
【図１】
2014175235.tif 000003
【図２】
2014175235.tif 000004
【図３】
2014175235.tif 000005
【図４】
2014175235.tif 000006
【図５】
2014175235.tif 000007
【図６】
2014175235.tif 000008
【図７】
2014175235.tif 000009
【図８】
2014175235.tif 000010
【図９】
2014175235.tif 000011
【図１０】
2014175235.tif 000012
【図１１】
2014175235.tif 000013
【図１２】
2014175235.tif 000014
【図１３】
2014175235.tif 000015
【図１４】
2014175235.tif 000016
【図１５】
2014175235.tif 000017
【図１６】
2014175235.tif 000018
【国際調査報告】
2014175235.tif 000019
2014175235.tif 000020